(57)【特許請求の範囲】
【請求項１】
ベース体と、ベース体上に一体に接合した複数の導体箔と、前記ベース体と導体箔を覆うラミネート材とを有すると共に、端部のラミネートを脱皮して導体箔を露出させ、さらにラミネートの脱皮長さ以上の範囲に渡って複数の導体箔間に端部から切り欠き部を設けて櫛状端面としたフラットケーブルを構成する前記ベース体を載置する平面部と、前記フラットケーブルの端部に設けた切り欠き部に嵌合する壁面部とを形成し、前記フラットケーブルを取り付け可能にしたフラットケーブル用ケース体。
【請求項２】
平面部に、フラットケーブルの端面と当接する当接部と、フラットケーブルの端部両側をガイドする案内部、挿入口側より奥側が高くなるように傾斜させかつフラットケーブルのベース体の厚みより大なる高さを有する凸部を形成し、フラットケーブルに前記凸部と嵌合する孔を設け、かつ上記凸部の左右両端にフラットケーブルの押さえ部を設けてなる請求項１記載のフラットケーブル用ケース体。
【請求項３】
ケース体の平面部の反対側に、複数のリード線を保持する保持部を設け、平面部の櫛状端面の上側を開口した請求項１または２記載のフラットケーブル用ケース体。
【請求項４】
壁面部の両側で、平面部との間にフラットケーブルの厚さより大きな隙間を設け、上記櫛状端面の切り欠き部の両端の上面を覆う押さえ部を形成した請求項１〜３のいずれか１項記載のフラットケーブル用ケース体。
【請求項５】
保持部はリード線の被覆部を保持する範囲は上壁を設けず、芯線を保持する範囲は挿入孔部を形成してなる請求項３または４記載のフラットケーブル用ケース体。
【請求項６】
保持部は上側開口とし、この保持部と壁面部とを覆う形状の蓋体を設け、この蓋体を耐熱性材料で構成してなる請求項３記載のフラットケーブル用ケース体。
【請求項７】
外管と、この外管内を軸方向に移動自在に配した内管と、一端を内管側に固定し他端を外管内に設けた収納部に固定したフラットケーブルと、一端に接続端子を固定したリード線とからなり、フラットケーブルの屈曲変位の範囲以外をリード線として上記請求項１〜６のいずれか１項に記載のフラットケーブル用ケース体で接続した伸縮延長管を備えた電気掃除機。
【発明の詳細な説明】
【０００１】
【発明の属する技術分野】
本発明は、フラットケーブルを電気接続するためのフラットケーブル用ケース体及びこれを使用した伸縮延長管を備えた電気掃除機に関するものである。
【０００２】
【従来の技術】
従来のフラットケーブル１は、主に使用電圧が３０Ｖ以下の低電圧用に用いられており図８及び図９のような構成になっていた。すなわちポリエステル製のベース体２上に同ポリエステル系の接着剤で一体化した錫メッキ銅体からなる複数の導体箔３とこの導体箔３を覆う絶縁性のラミネート体４の３層構造になっていた。そして両端部は電気接続するために上記ラミネート体４を除去し導体箔３を露出させていた。
【０００３】
さらにこの両端部には接続作業時の強度を確保するため厚さ約０．３ｍｍの補強板５を一体化させているのが一般的であった。又このフラットケーブル１とリード線６を電気接続する構成は図１０のような構造になっていた。すなわちフラットケーブル１はプリント基板７にハンダ付け固定したケース体Ａ８と接続端子Ａ９からなるコネクターＡ１０に挿入接続し、リード線６は接続端子Ｂ１１で被覆カシメしてケース体Ｂ１２に組み込んだ状態で、コネクターピン１３とハウジング１４からなりプリント基板７にハンダ付け固定したコネクターＢ１５に差し込んで電気接続するのが一般的であった。
【０００４】
【発明が解決しようとする課題】
しかしながらこの様な従来の構成では、ラミネート体で覆われている部分については、導体箔間の絶縁性が確保されるので問題がないが、電気接続部は導体箔が露出するため、使用電圧に応じた絶縁距離を確保するために導体箔間の距離を十分に設けることが必要である。
【０００５】
すなわち高電圧用に使用する場合には、低電圧で使用する場合より安全性を確保するため導体箔間の距離を大きくする必要があり、フラットケーブルの導体箔は一般に平行に配置されるものなので幅寸法が大きくなり、材料費の上昇及び機器を小型化できないという問題があった。
【０００６】
又従来のフラットケーブルとリード線の電気的接続は、プリント基板や接続端子を設けたコネクターを介する構成になっており、部品点数が多くなると同時に電気接続部の高さが大きくなりフラットケーブルの特徴である薄さを生かした機器の小型化を実現する上で大きな障害があった。
【０００７】
本発明は上記課題を解決するもので、高電圧用に使用してもフラットケーブルの幅寸法を大きくする事なく絶縁距離を確保でき、安全性を向上できるフラットケーブルの構造を提供することを第１の目的としている。
【０００８】
第２の目的は上記フラットケーブルと組み合わせることにより、上記絶縁距離をより確実に確保でき安全性を向上できると同時に、小型化をより一層達成できる構造のフラットケーブル用ケース体を提供することである。
【０００９】
第３の目的は、フラットケーブル及びフラットケーブル用ケース体を採用して小型で製造コストを低減した伸縮延長管を備えた電気掃除機を提供することである。
【００１０】
【課題を解決するための手段】
上記第１、第２の目的を達成するために本発明のフラットケーブル用ケース体は、ベース体と、ベース体上に一体に接合した複数の導体箔と、前記ベース体と導体箔を覆うラミネート材とを有すると共に、端部のラミネートを脱皮して導体箔を露出させ、さらにラミネートの脱皮長さ以上の範囲に渡って複数の導体箔間に端部から切り欠き部を設けて櫛状端面としたフラットケーブルを構成する前記ベース体を載置する平面部と、前記フラットケーブルの端部に設けた切り欠き部に嵌合する壁面部とを形成し、前記フラットケーブルを取り付け可能にしているので、導体箔がベース体上で短絡するのを防止でき、又導体箔間の寸法を増やす事なく絶縁距離を大きく確保できるものである。また、フラットケーブル用ケース体にフラットケーブルを取りつけた時、壁面部により導体箔間の絶縁距離が確実にかつ大幅に増えるので、導体箔間寸法を最小限に押さえられ小型化できるものである。
【００１１】
上記第３の目的を達成するために本発明は、外管内を軸方向に移動自在に配した内管と、一端を内管側に固定し他端を外管内に設けた収納部に固定したフラットケーブルと、一端に接続端子を固定したリード線とからなり、フラットケーブルの屈曲変位の範囲以外をリード線として上記請求項１〜６のいずれか１項に記載のフラットケーブル用ケース体で接続した伸縮延長管を備えた電気掃除機としたので、フラットケーブルの長さを屈曲変位する必要がある範囲に限定しても外形寸法を大きくする事がなく、このためリード線に比較してコストが高いフラットケーブルの使用量を最小にして製造コストの安い伸縮延長管を備えた電気掃除機を提供することができるものである。
【００１２】
【発明の実施の形態】
本発明の請求項１記載の発明は、ベース体と、ベース体上に一体に接合した（帯状の）複数の導体箔と、前記ベース体と導体箔を覆うラミネート材とを有すると共に、端部のラミネートを脱皮して導体箔を露出させ、さらにラミネートの脱皮長さ以上の範囲に渡って複数の導体箔間に端部から切り欠き部を設けて櫛状端面としたフラットケーブルを構成する前記ベース体を載置する平面部と、前記フラットケーブルの端部に設けた切り欠き部に嵌合する壁面部とを形成し、前記フラットケーブルを取り付け可能にしているので、導体箔がベース体上で短絡するのを防止でき、又導体箔間の寸法を増やす事なく絶縁距離を大きく確保できるものである。また、フラットケーブル用ケース体にフラットケーブルを取りつけた時、壁面部により導体箔間の絶縁距離が確実にかつ大幅に増えるので、導体箔間寸法を最小限に押さえられ小型化できるものである。
【００１３】
本発明の請求項２記載の発明は、平面部に、フラットケーブルの端面と当接する当接部とフラットケーブルの幅方向両端をガイドする案内部及び挿入口側から奥側に高くなるよう傾斜させ、フラットケーブルのベース体の厚みより大なる高さを有する凸部を形成し、フラットケーブルに端面の先端から凸部までの距離と同位置に前記凸部と嵌合する孔を設け、かつ上記凸部の左右両端にフラットケーブルの押さえ部を設けているので、前記凸部と孔でフラットケーブルとケース体間の抜け止め構造が形成できるものである。
【００１４】
本発明の請求項３記載の発明は、ケース体の平面部の反対側に、互いに隔離した複数のリード線を保持する保持部を設け、平面部の櫛状端面の上側を開口したケース体の平面部の上側を開口にすることにより、上部よりハンダ付け等により直接リード線とフラットケーブルを接続することができ、別な接続端子を介在させる必要がない。さらに壁面部によりハンダ作業により絶縁距離が減少するのを防止でき、抜け止めによりセット時の位置ずれを防ぐことも出来る。
【００１５】
本発明の請求項４記載の発明は、壁面部の両側で、平面部との間にフラットケーブルの厚さより大きな隙間を設け、上記櫛状端面の切り欠き部の両端の上面を覆う押さえ部を形成することにより、フラットケーブルの櫛上端面が浮き上がるのを防止でき、ハンダ付けの作業性が向上する。
【００１６】
本発明の請求項５記載の発明は、上記保持部はリード線の被覆部を保持する範囲は上壁を設けず、芯線を保持する範囲は挿入孔部を形成してなるもので、ケース体の高さを大きくする事なくフラットケーブルの導体箔とリード線の芯線を近接させることができハンダ作業性を向上できるものである。
【００１７】
本発明の請求項６記載の発明は、保持部は上側開口とし、この保持部と壁面部とを覆う形状の蓋体を設けることで、リード線をケース体に取り付けやすくすると同時に位置決めを確実に出来る。さらに蓋体を耐熱性材料で形成しているのでハンダ作業時にケース体の壁面や案内部が熱で損傷することが無く、絶縁距離が減少するのを防止することができる。
【００１８】
本発明の請求項７記載の発明は、外管と、この外管内を軸方向に移動自在に配した内管と、一端を内管側に固定し他端を外管内に設けた収納部に固定したフラットケーブルと、一端に接続端子を固定したリード線とからなり、フラットケーブルの屈曲変位の範囲以外をリード線として請求項１〜６のいずれか１項に記載のフラットケーブル用ケース体で接続したので、フラットケーブルの長さを屈曲変位する必要がある範囲に限定しても外形寸法を大きくする事がなく、このためリード線に比較してコストが高いフラットケーブルの使用量を最小にして製造コストの安い伸縮延長管とすることができるものである。
【００１９】
【実施例】
（実施例１）
以下、本発明の第１の実施例を図面を参照しながら説明する。まず図１〜図４において、２０はベース体２１上に接着固定した導体箔２２と、ラミネート体２３及び補強板２４からなるフラットケーブルで、その端面に導体箔間にラミネート体２３の端部２３ａよりさらに反接続方向まで及ぶ切り欠き２５を形成することにより櫛状端面になっている。そして上記切り欠き２５より後方に２個の丸孔２６を形成してある。
【００２０】
一方２７はフラットケーブル２０の補強板２４を載置する平面部２８を備え、上記切り欠き２５に嵌まり合う位置に壁面部２９を設けたケース体である。
【００２１】
そして上記平面部２８にはフラットケーブル２０の櫛状端面の先端に当接する当接部３０、幅方向両端をガイドする案内部３１、及びケース体２７のフラットケーブル２０を挿入する側から奥側に向けて高くなるよう傾斜させ、高さをフラットケーブルの端部厚さｔ（補強板２４の厚さを含む）より大きくした２個の凸部３２が設けてある。
【００２２】
また壁面部２９の両側と案内部３１の内側には平面部２８との間にフラットケーブル２０の上記端部厚さｔより大きな隙間Ｔを形成した押さえ部３３を設けている。さらに平面部２８の反対側にはリード線３４の被覆部３５を圧接保持し互いに隔離した保持部３６と、リード線３４の芯線３７を保持する挿入孔部３８を一体に形成してある。
【００２３】
上記構成において作用を説明すると、フラットケーブル２０は切り欠き２５がラミネート体２３まで食い込んでいるので、導体箔２２はベース体２１上では隣接しなくなる。このため絶縁性が高まり高電圧用に使用する場合にも、導体箔間距離を大きく増やす必要がなく幅寸法を小型化できる。
【００２４】
さらにケース体２７に上記フラットケーブル２０を取り付けると、上記切り欠き部２５に壁面部２９が嵌まり込むので導体箔２２はこの壁面部２９によって完全に隔離され、沿面距離も壁面部２９の高さの２倍だけ増加するので導体箔間距離を小さくしても高電圧に耐えられるようになり、一層小型化ができるものである。
【００２５】
この時切り欠き部２５はラミネート体２３に図１に示すように脱皮部より１〜２ｍｍ深く食い込ますと同時に壁面部２９の長さを切り欠き部２５の深さと略同一にする必要がある。
【００２６】
又フラットケーブル２０をケース体２７に図１の矢印イ方向から挿入すると、フラットケーブル２０の幅方向の両側面は押さえ部３３で上から押えつけられながら、補強板２４が鼓状に変形しながら凸部３２を乗り越え、櫛状端面の先端が当接部３０に当たると同時に孔部２６に凸部３２が嵌合して係止されるものである。
【００２７】
こうしてフラットケーブル２０は挿入完了と同時にケース体２７に対して抜け止めが確実に行えるので、組み立て作業や輸送時及び機器組み込み後もはずれることがなく電気接続部の信頼性を高めることができるものである。
【００２８】
（実施例２）
次に本発明の第２の実施例を図１〜４を用いて説明する。
【００２９】
ケース体２７の平面部２８反対側には複数のリード線３４を保持する保持部３６を設けると同時に、平面部２８の上側は開口としてあるので、ケース体２７の一端側よりフラットケーブル２０を、他端側よりリード線３４をそれぞれ挿入し取り付けた後、リード線３４の芯線部３５ａをフラットケーブル２０の導体箔２２にハンダ付けすることができるので、別な接続端子を必要とせず部品点数を削減できる。又壁面部２９が設けてあるためハンダ盛りを行っても沿面距離が低下することがないものである。
【００３０】
そしてケース体２７の壁面部２９の両側に設けた押さえ部３３により、フラットケーブル２０の櫛状端面を全域で平面部２８に密着でき浮き上がりを防ぐためハンダ作業性を向上させるものである。
【００３１】
さらにリード線３は挿入孔３８により、芯線３６を導体箔２２上に密着させて固定できるためハンダが芯線３６と導体箔２２の両方に確実に盛られハンダ部の信頼性を高めるものである。
【００３２】
（実施例３）
次に本発明の第３の実施例を図５を用いて説明する。なお、上記実施例と同一部品については、同一符号を付して説明を省略する。
【００３３】
保持部３６をリード線３４の被覆部３５、芯線部３６の両方とも上側を開口とし、耐熱性材料で構成しリード線３４の芯線部３６を上から押さえ込む位置決め部３９を形成した蓋体４０を別途設けた実施例を示す。本実施例によればリード線３４をケース体２７にセットし易いと同時に、芯線部３６は確実に導体箔２２に密着させられかつケース体２７の壁面部２９や案内部３１の上面は蓋体４０により覆われるので、ハンダ作業時に焼損するのを防ぐことができる。
【００３４】
（実施例４）
次に本発明の第４の実施例を図６、７を用いて説明する。なお、上記実施例と同一部品については、同一符号を付して説明を省略する。
【００３５】
図６に於いて、４１は電源コード（図示せず）、電動送風機（図示せず）を内蔵した電気掃除機の本体、４２はこの本体４１に接続される手元部４３を備えたホース、４４は手元部４３と尾錠４５により着脱自在に係合し先端に尾錠４６を配した受け部４７を形成している伸縮延長管であり、４８は上記受け部４７に挿入され尾錠４６により着脱自在に係合し端子ピン４９を設けたパワーノズルである。
【００３６】
次に図７において伸縮延長管４４は、手元部４３に接続される外管５０と外管５０内を軸方向に移動自在に挿入される内管５１からなり、手元部４３との接続部５３には電気接続する端子部５４が設けてあり、外管５０の軸方向に延設した外管収納部５５内に配設したリード線３４と、このリード線３４とケース体２７を介して電気接続されているフラットケーブル２０に電気的に接続されている。又内管５１の受け部４７にはパワーノズル４８と電気的に接続される端子（図示せず）を備えており、内管５１の軸方向に延設した内管側収納部５６内のリード線３４は受け部４７の端子及びケース体２７を介してフラットケーブル２０と電気的に接続されている。
【００３７】
又外管収納部５５の先端の開口部５７にはフラットケーブル２０を１８０°方向変換するローラ５８が設けてある。又外管５０の先端拡管部５９には内管５１を摺動自在に保持するガイド体６０が固定してあり、このガイド体６０にばね６１により内管５１の上面に形成した係止凹部６２に押し込まれる方向に付勢された押しボタン６３が回動自在に取り付けてある。
【００３８】
以上のように構成された伸縮延長管の動作について説明する。
【００３９】
まず伸縮延長管の伸縮は押しボタン６３を押して内管５１との係合を解除することにより自在に行うことができる。この時フラットケーブル２０はローラ５８に案内されながらＬの範囲を屈曲摺動変位するものである。
【００４０】
このように本発明による伸縮延長管によれば、ケース体２７を使って屈曲変位が必要な範囲のみに高価なフラットケーブル２０を使用し、他の固定範囲は安価なリード線３４を使用することにより、延長管全体の製造コストを低減していると同時に延長管の外形寸法を小型にすることができるものである。
【００４１】
【発明の効果】
以上の説明から明らかなように本発明の請求項１記載の発明によれば、切り欠き部を設けたことにより導体箔間の距離を増やす事なく、絶縁性能を向上させられるのでフラットケーブルの小型化が実現でき、また、フラットケーブル用ケース体に形成した壁面部で強制的に沿面距離を確保できるのでより一層フラットケーブルの小型化及び高電圧使用が可能になるものである。
【００４２】
本発明の請求項２記載の発明によれば、簡単な構成でフラットケーブルの抜け防止構成が実現でき電気接続部の信頼性を向上させられるものである。
【００４３】
本発明の請求項３記載の発明によれば、接続端子等の他の部品を介する事なくフラットケーブルとリード線の電気接続が可能となり製造コストを低減し電気接続部の小型化を実現できるものである。
【００４４】
本発明の請求項４記載の発明によれば、フラットケーブルの浮き上がりを防ぎ、ハンダ作業性を向上させ生産性をたかめるものである。
【００４５】
本発明の請求項５記載の発明によれば、フラットケーブルの導体箔とリード線の芯線を密着保持させることによってハンダ付け部の信頼性を高めるものである。
【００４６】
本発明の請求項６記載の発明によれば、リード線をケース体にセットし易くすると同時にハンダ作業時の傷付けを防ぎ生産性を高めるものである。
【００４７】
本発明の請求項７記載の発明によれば、延長管の外形寸法を大きくする事なく、フラットケーブルの使用量を最小限にすることができるので、使い勝手のよい伸縮延長管を安価に提供でき電気掃除機の商品価値を高めるものである。
【図面の簡単な説明】
【図１】  本発明の第１、第２の実施例を示すフラットケーブルとフラットケーブル用ケース体の外観斜視図
【図２】  図１におけるａ−ａ断面図
【図３】  図１におけるｂ−ｂ断面図
【図４】  図１におけるｃ矢視図
【図５】  本発明の第３の実施例を示すフラットケーブル用ケース体の分解斜視図
【図６】  本発明の第４の実施例を示す電気掃除機の全体外観斜視図
【図７】  同電気掃除機の伸縮延長管の断面図
【図８】  従来のフラットケーブルの外観斜視図
【図９】  同フラットケーブルの断面図
【図１０】  従来のフラットケーブルとリード線の電気接続部を示す断面図
【符号の説明】
２０  フラットケーブル
２１  ベース体
２２  導体箔
２３  ラミネート材
２５  切り欠き部
２７  ケース体
２８  平面部
２９  壁面部
３２  凸部
３３  押さえ部
３６  保持部
【図１】
0003642115.tif 000002
【図２】
0003642115.tif 000003
【図３】
0003642115.tif 000004
【図４】
0003642115.tif 000005
【図５】
0003642115.tif 000006
【図６】
0003642115.tif 000007
【図７】
0003642115.tif 000008
【図８】
0003642115.tif 000009
【図９】
0003642115.tif 000010
【図１０】
0003642115.tif 000011